(57)【要約】【課題】  突発的な混信によって電波環境が変化してもスキャンによる発光直前の環境を保持させることによって発光時の状態を適切に表示させることを提供すること。【解決手段】  周期的に電波環境の状態を知るためのスキャンを行い、そのスキャン結果を電波状態として表示させるストロボ表示制御において、カメラのレリーズを行った後、レリーズの直前の電波環境表示を所定の制御が行われるまで保持させることを特徴とする構成とした。【選択図】  図１
2012189733.tif 000002
【特許請求の範囲】
【請求項１】
周期的に電波環境の状態を知るためのスキャン（105,100a）を行い、そのスキャン結果を電波状態として表示(101a)させるストロボ表示制御において、
カメラのレリーズを行った後、レリーズの直前の電波環境表示(101,101a)を
所定の制御が行われるまで保持(103)させることを特徴とした電波表示制御システム。
【請求項２】
カメラの連写中に電波環境が悪くなった場合は、その時点でのスキャン結果を電波状態とし表示(101, 101a)し、所定の制御が行われるまで保持(103)させることを特徴とした請求項１に記載の電波表示制御システム。
【請求項３】
カメラの後幕設定時は、レリーズ直後のスキャン結果を表示(101, 101a)し、所定の制御が行われるまで保持(103)させることを特徴とした請求項１に記載の電波表示制御システム。
【発明の詳細な説明】
【技術分野】
【０００１】
本発明は、ストロボでライティング撮影を行う時の、無線多灯制御の動作に関するものである。
【背景技術】
【０００２】
従来、無線通信での情報の送受信を行う通信端末において、電波状況は、位置や周囲の障害物、移動等による影響を受けて逐次変化する。このため、現在の端末の利用可能な度合いを利用者に表示するために、電波強度情報表示が使用され、複数本のアンテナバーの表示が一般的に利用されている。電波状況が良好な場合にはアンテナバーの表示本数を増やし、逆に電波状況が悪い場合にはアンテナバー表示本数を減らすことが実施されている。
【０００３】
このようなシステムにおいては、アンテナバー切り替え実施時に、切り替わる前後の電波状況が大きく異なってしまうと、アンテナバー表示が大きく変動してしまいユーザにとって利便性が悪いという問題がある。そこで特許文献１では、アンテナバー切り替え実施時に、切り替わる前後の電波強度情報を平均化してその情報を表示することにより、アンテナバー表示が大きく変動しないような制御方法等も開示されている。
【先行技術文献】
【特許文献】
【０００４】
【特許文献１】特開２００６−３３２９６９号公報
【発明の概要】
【発明が解決しようとする課題】
【０００５】
一方、電波による無線制御を搭載したストロボにおいて、レリーズ制御に関わるタイミングでは、高速に処理を行う必要があるため、双方向通信を行うことができない。
【０００６】
このようなシステムにおいて、レリーズ制御通信が他無線機器の混信によって通信できなかった場合、未発光となってしまうが、双方向通信でなくても電波環境のスキャニング処理を周期的に行いその結果を表示することにより、未発光となった原因をユーザーに通知することが可能である。しかしながら、それは混信が持続する場合であり、レリーズ制御付近のみの突発的な混信の場合、電波環境状態がすぐに良好となるため、スキャニング結果をそのまま表示させた場合、未発光であるが良い電波環境表示のためにユーザーに誤認識をさせる可能性がある。 また特許文献１のように切り替わる前後の電波強度情報を平均化したのでは、ほぼ良好な電波状態で平均化されるので、やはりユーザーに誤認識をさせる可能性がある。
【０００７】
そこで、本発明の目的は、突発的な混信によって電波環境が変化してもスキャンによる発光直前の環境を保持させることによって発光時の状態を適切に表示することを可能にした電波表示制御システムを提供することである。
【課題を解決するための手段】
【０００８】
上記目的を達成するために本発明は、周期的に電波環境の状態を知るためのスキャンを行い、そのスキャン結果を電波状態として表示させるストロボ表示制御において、カメラのレリーズを行った後、レリーズの直前の電波環境表示を所定の制御が行われるまで保持させることを特徴とする。
【発明の効果】
【０００９】
本発明によれば、突発的な混信によって電波環境が変化してもスキャンによる発光直前の環境を保持させることによって発光時の状態を適切に表示させることを提供することができる。
【図面の簡単な説明】
【００１０】
【図１】実施例１のストロボ表示制御装置の制御フローチャートである。
【図２】実施例２のストロボ表示制御装置の制御フローチャートである。
【図３】実施例３のストロボ表示制御装置の制御フローチャートである。
【図４】ストロボ表示制御装置のストロボ１００のハードウェア構成を示すシステムブロック図である。
【図５】カメラ２００とストロボ１００ａ、１００ｂで構成されるストロボ表示制御装置の一例のシステム構成図である。
【発明を実施するための形態】
【００１１】
以下に、本発明の好ましい実施の形態を、添付の図面に基づいて詳細に説明する。図１、図２、図３は、それぞれ、本発明に係る電波表示制御システムであるストロボ表示制御装置の制御フローチャート、図４はストロボ表示制御装置のシステムブロック図、図５はストロボ表示制御装置のシステム構成図である。
【００１２】
［実施例１］
図４はストロボ表示制御装置の構成例を示すシステムブロック図である。
【００１３】
１００はストロボ表示制御装置におけるストロボを表す。１０１はストロボ１００の表示部／操作部を表す。操作部１０１によってストロボ制御部１０５に対して動作指示を行い、ストロボ１００を制御する。１０２は発光回路を表し、充電や発光制御など発光に関わる制御を行い、ストロボ制御部１０３からの発光命令を表す信号を受信することで発光する。また、ストロボ制御部１０３に対して充電完了を表す信号を送信する。１０３は上記構成のストロボを制御するストロボ制御部を表す。１０４は撮像装置とのインターフェースを表す。インターフェース１０４を介して撮像装置と通信する。
【００１４】
１０５はストロボ１００に搭載されている無線通信部を表す。無線通信部１０５の形態として、二つ挙げられる。一つはストロボ１００に内蔵するタイプ、もう一つは無線通信部１０５をカード化して、ストロボ１００にカードスロットを設けた着脱可能型タイプの２つが想定される。本実施例では内蔵タイプで説明する。１０５aはアンテナを表す。アンテナ１０５aは無線通信の送受信を行い、通信相手から受信したデータを無線制御部１０５ｂへ送信する。また、無線制御部１０５ｂからデータを受け取り、通信相手へ送信する。
【００１５】
また、周期的に周辺の電波環境のアンテナ１０５aが受信（スキャン）することによって電波強度の測定を行っている。その測定結果を表示部１０１に出力する。１０５ｃは発振回路を表し、発振回路１０５ｃに接続された水晶発振子１０５ｄから生成されるクロック信号の波形を整形し、整形したクロック信号を無線通信装置１０５での各回路に出力し、同期をとる。
【００１６】
図５は本実施例の形態である、ストロボ１００ａがストロボ１００ｂと無線接続している場合のシステムの概略図を表す。ストロボ１００ａはマスターストロボ、ストロボ１００ｂはスレーブストロボとなる。カメラ２００とストロボ１００ａは物理的に接続しており、カメラ２００はインターフェース１０４を介してストロボ１００ａと通信を行う。１０１ａ、１０１ｂはストロボの表示／操作部で発光に関する各種設定や表示を行う。特にマスターストロボ１００aにおいては、周辺の電波環境をスキャンし、その測定結果をアンテナピクト表示として表示部１０１aに表示する。図２の例ではバーの本数が多いほど電波環境が良好であることを示す。２０１はカメラの表示／操作部であり、レリーズ制御や、カメラ撮影モードの切り替え設定や表示、また、スレーブストロボの情報を表示することも可能である。
【００１７】
尚、本実施例ではスレーブストロボを１台としているが、２台以上の複数台でも構わない。
【００１８】
以下、図１を参照して、本発明の第1の実施例の動作について説明する。
【００１９】
ステップＳ３０１において、マスターストロボ１００aの周辺の電波環境を無線通信部１０５にてスキャンを開始する。ステップＳ３０２では、上記スキャンで得られた結果を表示部１０１へ表示を行う。ステップＳ３０３でカメラの操作部２０１のＳＷ２をＯＮすることによってステップＳ３０４へ移行する。ＳＷ２がＯＦＦの場合はステップＳ３０１へ戻る。つまりＳＷ２がＯＦＦの場合は、周期的に周辺の環境をスキャンしてその結果を表示している。ステップＳ３０４ではステップＳ３０１で得られた最後のスキャンデータを
マスターストロボ１００aの不図示のＲＡＭへ保持しておく。ステップＳ３０５において、マスターストロボ１００aがスレーブストロボ１００ｂに発光量等、発光制御に必要なデータを送信する。スレーブストロボ１００ｂはそのデータをもとに発光制御を行う。マスターストロボ１００aが送信するタイミングで混信が生じるとスレーブストロボ１００ｂへ
データを送信することができなくなり、未発光となる場合がある。
【００２０】
ステップＳ３０６では、発光制御後にステップＳ３０４で保持していたデータを表示部１０１へ所定時間表示を行う。所定時間とは、例えばカメラ表示部に撮影画像がプレビューとして表示されている間等、ユーザーがアンテナピクト表示を適切に認識できる時間である。
【００２１】
以上の制御方法により、レリーズ直前の突発的な混信によってスレーブストロボが未発光となってしまっても、発光直前の電波環境を所定時間表示させることで使用者に電波環境が悪かったことを認識させることができる。
【００２２】
［実施例２］
以下、図２を参照して、本発明の第２の実施例の動作について説明する。
【００２３】
ステップＳ４０１において、マスターストロボ１００aの周辺の電波環境を無線通信部１０５にてスキャンを開始する。ステップＳ４０２では、上記スキャンで得られた結果を表示部１０１へ表示を行う。ステップＳ４０３でカメラの操作部２０１のＳＷ２をＯＮすることによってステップＳ４０４へ移行する。ＳＷ２がＯＦＦの場合はステップＳ４０１へ戻る。つまりＳＷ２がＯＦＦの場合は、周期的に周辺の環境をスキャンしてその結果を表示している。ステップＳ４０４ではステップＳ４０１で得られた最後のスキャンデータを
マスターストロボ１００aの不図示のＲＡＭへ保持しておく。ステップＳ４０５において、マスターストロボ１００aがスレーブストロボ１００ｂに発光量等、発光制御に必要なデータを送信する。スレーブストロボ１００ｂはそのデータをもとに発光制御を行う。マスターストロボ１００aが送信するタイミングで混信が生じるとスレーブストロボ１００ｂへ
データを送信することができなくなり、未発光となる場合がある。
【００２４】
ステップＳ４０６では、レリーズ直前のステップＳ４０４で保持していた電波環境データが悪い場合はステップＳ４０７へ移行し、電波環境データが良い場合はステップＳ４０１へ戻る。ステップＳ４０７では、発光制御後にステップＳ４０４で保持していたデータを表示部１０１へ表示を行い、以下、連写が終了するまで悪い電波環境データの表示を保持する。
【００２５】
以上の制御方法により、連写中に突発的な混信によってスレーブストロボが未発光となってしまっても、発光直前の電波環境を所定時間表示させることで使用者に電波環境が悪かったことを認識させることができる。
【００２６】
［実施例３］
以下、図３を参照して、本発明の第３の実施例の動作について説明する。
【００２７】
ステップＳ５０１において、マスターストロボ１００aの周辺の電波環境を無線通信部１０５にてスキャンを開始する。ステップＳ５０２では、上記スキャンで得られた結果を表示部１０１へ表示を行う。ステップＳ５０３でカメラの操作部２０１のＳＷ２をＯＮすることによってステップＳ５０４へ移行する。ＳＷ２がＯＦＦの場合はステップＳ５０１へ戻る。つまりＳＷ２がＯＦＦの場合は、周期的に周辺の環境をスキャンしてその結果を表示している。ステップＳ５０４において、マスターストロボ１００aがスレーブストロボ１００ｂに発光量等、発光制御に必要なデータを不図示の後幕走行開始直前に送信する。スレーブストロボ１００ｂはそのデータをもとに後幕発光制御を行う。マスターストロボ１００aが送信するタイミングで混信が生じるとスレーブストロボ１００ｂへデータを送信することができなくなり、未発光となる場合がある。
【００２８】
ステップＳ５０５では、マスターストロボ１００aの周辺の電波環境を無線通信部１０５にてスキャンを開始する。ステップＳ５０６では、上記スキャンで得られた結果を表示部１０１へ表示を行う。
【００２９】
以上の制御方法により、発光制御直前の突発的な混信によってスレーブストロボが未発光となってしまっても、発光直後の電波環境を所定時間表示させることで使用者に電波環境が悪かったことを認識させることができる。
【００３０】
以上、本発明の好ましい実施形態について説明したが、本発明はこれらの実施形態に限定されず、その要旨の範囲内で種々の変形及び変更が可能である。
【符号の説明】
【００３１】
１００ａ  マスターストロボ
１００ｂ  スレーブストロボストロボ
１０１ａ／１０１ｂ ストロボ表示部／操作部
１０３  ストロボ制御部
１０４  インターフェース
１０５  無線通信部
１０５ｂ  無線制御部
２００  カメラ
２０１  カメラ表示部／操作部
【図１】
2012189733.tif 000003
【図２】
2012189733.tif 000004
【図３】
2012189733.tif 000005
【図４】
2012189733.tif 000006
【図５】
2012189733.tif 000007